(57)【要約】【課題】シートに対するフィット性を容易に高めることができるシートカバー取付構造、シートカバー取付方法などを提供することを目的とする。【解決手段】シートカバー本体20は、シート13の着座部13aに装着する複数のカバー部材21，22，23，24を縫い合わせた縫代部28を有するので、その縫代部28に芯棒29を組み込む。着座部13aの表側から裏側に貫通した状態で着座部13aの裏側に針状のストッパ16を係合させるとともに、このストッパ16に挿通した紐状体12を、ストッパ16とともに着座部13aの表側から裏側に貫通させて、ストッパ16を介し着座部13aの裏側に係止させる。この紐状体12を、シートカバー本体20の縫代部28に組み込んだ芯棒29に縛り付けて、芯棒29を固定する。【選択図】図１
2014000323.tif 000002
【特許請求の範囲】
【請求項１】
シートに装着される複数のカバー部材の縫代部を縫い合わせて形成されたシートカバー本体と、
シートカバー本体の縫代部に組み込まれた芯棒と、
シートの表側から裏側に貫通された状態でシートの裏側に係合された針状のストッパと、
ストッパに挿通されストッパとともにシートの表側から裏側に貫通された紐状体とを具備し、
ストッパを介しシートの裏側に係止された紐状体を、シートカバー本体の縫代部に組み込まれた芯棒に縛り付けて、芯棒を固定した
ことを特徴とするシートカバー取付構造。
【請求項２】
シートの表側から裏側に針状のストッパを貫通させ、
同時に、ストッパに挿通された紐状体をシートの表側から裏側に貫通させ、
紐状体をシートの表側に引っ張ることでストッパをシートの裏側に係合させ、
シートに装着される複数のカバー部材を縫い合わせて形成したシートカバー本体の縫代部に組み込まれた芯棒に、ストッパを介しシートの裏側に係止された紐状体を縛り付けて、芯棒を固定した
ことを特徴とするシートカバー取付方法。
【請求項３】
シートの厚みよりも大きな長さを有する細長く形成された工具本体と、
工具本体の基端側に設けられた把持部と、
工具本体の先端に着脱自在に嵌合されてシートの表側から裏側に貫通された状態でシートの裏側に係合可能な針状のストッパとを具備し、
ストッパは、
工具本体の先端に着脱自在に嵌合される嵌合部と、
嵌合部とは反対側に設けられた尖端と、
嵌合部と尖端との中間部に穿設され、請求項１または２記載のシートカバー本体の縫代部に組み込まれた芯棒に縛り付ける紐状体を挿通する紐通し孔と
を具備したことを特徴とするシートカバー取付工具。
【発明の詳細な説明】
【技術分野】
【０００１】
本発明は、車輌などのシートに取り付けられるシートカバー取付構造、シートカバーを取り付けるシートカバー取付方法およびシートカバー取付工具に関する。
【背景技術】
【０００２】
車輌用シートカバーの周縁部に沿って間隔をあけて複数の孔を設け、車輌用シートのフレームにおいて上記複数の孔に対応する位置に折曲げ可能の突出部を設け、これらの突出部をシートカバーの孔に挿入の上、曲げることによって複数の孔を係止するシートカバー固定方法がある（例えば、特許文献１参照）。
【０００３】
また、シートカバーの開き口一側端縁に縫い付けられる雄部材と、開き口の他側端縁に縫い付けられる雌部材とを嵌め合わせる際に、締結させる個所のシートカバーが面一状態で連続しているように感じられるようにしたシートカバー締結構造がある（例えば、特許文献２参照）。
【０００４】
これらのシートカバー固定方法およびシートカバー締結構造は、シートカバーの周縁部の固定または締結であるため、シートカバー中央部分のフィット性は改善できない。
【０００５】
一方、シートカバーの中央部分に紐部材を取り付け、この紐部材をシートのパッドに予め形成された貫通孔に挿入しながらシートカバーをパッドにカバーリングし、このカバーリングしたシートカバーの紐部材をパッドに掛け留めることで、シートカバーをパッドに係着させるシートカバー係着構造がある（例えば、特許文献３参照）。
【０００６】
さらに、所定の立体形状に成形された背もたれ部本体と、複数の表皮片を縫合して成る表皮部材と、背もたれ部本体内に延設されたフレームと、表皮部材の縫合部位を背もたれ部本体内に引込みつつフレームと連結可能な連結手段とを有する車輌用シートの外表面を覆いつつ装着される車輌用シートカバーにおいて、シートカバー本体と、このシートカバー本体のフレームに対応する位置に延設され、固定用ワイヤを保持可能な袋体と、この袋体で保持された固定用ワイヤを背もたれ部本体内に引き込みつつ背もたれ部本体内のフレームと連結可能な取付用連結手段とを具備したシートカバーおよびその装着方法がある（例えば、特許文献４参照）。
【先行技術文献】
【特許文献】
【０００７】
【特許文献１】特開平０８−１３１６７１号公報
【特許文献２】特開２０１０−０６８９０１号公報
【特許文献３】特開２０１１−１２１５７１号公報
【特許文献４】特開２００７−０８９８６９号公報
【発明の概要】
【発明が解決しようとする課題】
【０００８】
特許文献３のシートカバー係着構造は、シートカバー取付相手のパッド側にその厚み方向を貫通する貫通孔が予め形成されている構造を前提としており、シートカバー取付相手に貫通孔が予め形成されていない場合は、シートに対するフィット性の向上を実現することは容易でない。
【０００９】
特許文献４の車輌用シートカバーおよびその装着方法は、車輌用シートに装着された際の見栄えがよいとともに、車輌用シートとのずれを防止し得るなどの点で優れているが、シートカバー取付相手の背もたれ部本体内に延設されたフレーム構造を前提とするので、その特定のフレーム構造が背もたれ部本体内に形成されていなければ、特許文献３と同様にシートに対するフィット性の向上を実現することは容易でない。
【００１０】
本発明は、このような点に鑑みなされたもので、シートに対するフィット性を容易に高めることができるシートカバー取付構造、シートカバー取付方法およびシートカバー取付工具を提供することを目的とする。
【課題を解決するための手段】
【００１１】
請求項１に記載された発明は、シートに装着される複数のカバー部材の縫代部を縫い合わせて形成されたシートカバー本体と、シートカバー本体の縫代部に組み込まれた芯棒と、シートの表側から裏側に貫通された状態でシートの裏側に係合された針状のストッパと、ストッパに挿通されストッパとともにシートの表側から裏側に貫通された紐状体とを具備し、ストッパを介しシートの裏側に係止された紐状体を、シートカバー本体の縫代部に組み込まれた芯棒に縛り付けて、芯棒を固定したシートカバー取付構造である。
【００１２】
請求項２に記載された発明は、シートの表側から裏側に針状のストッパを貫通させ、同時に、ストッパに挿通された紐状体をシートの表側から裏側に貫通させ、紐状体をシートの表側に引っ張ることでストッパをシートの裏側に係合させ、シートに装着される複数のカバー部材を縫い合わせて形成したシートカバー本体の縫代部に組み込まれた芯棒に、ストッパを介しシートの裏側に係止された紐状体を縛り付けて、芯棒を固定したシートカバー取付方法である。
【００１３】
請求項３に記載された発明は、シートの厚みよりも大きな長さを有する細長く形成された工具本体と、工具本体の基端側に設けられた把持部と、工具本体の先端に着脱自在に嵌合されてシートの表側から裏側に貫通された状態でシートの裏側に係合可能な針状のストッパとを具備し、ストッパは、工具本体の先端に着脱自在に嵌合される嵌合部と、嵌合部とは反対側に設けられた尖端と、嵌合部と尖端との中間部に穿設され、請求項１または２記載のシートカバー本体の縫代部に組み込まれた芯棒に縛り付ける紐状体を挿通する紐通し孔とを具備したシートカバー取付工具である。
【発明の効果】
【００１４】
請求項１記載の発明によれば、シートの表側から裏側に貫通された状態でシートの裏側に係合された針状のストッパを介しシートの裏側に係止された紐状体を、シートカバー本体の縫代部に組み込まれた芯棒に縛り付けて、芯棒を固定したシートカバー取付構造によって、シートカバー本体をシートに容易に密着させることができ、シートに対するフィット性を容易に高めることができる。
【００１５】
請求項２記載の発明によれば、シートに装着される複数のカバー部材を縫い合わせたシートカバー本体の縫代部に芯棒を組み込むので、芯棒を容易に組み込むことができ、さらに、シートの表側から裏側に針状のストッパを貫通させると同時に、ストッパに挿通された紐状体をシートの表側から裏側に貫通させ、紐状体をシートの表側に引っ張ることでストッパをシートの裏側に係合させるので、紐状体をシートに容易に取り付けることができ、この紐状体によりシートカバー本体側の芯棒をシート側に引き寄せて、シートカバー本体をシートに容易に密着させることができ、シートに対するフィット性を容易に高めることができるとともに、作業性の向上も図れる。
【００１６】
請求項３記載の発明によれば、シートの厚みよりも大きな長さを有する細長く形成された工具本体の先端に針状のストッパを着脱自在に嵌合したので、このストッパをシートの表側から裏側に貫通された状態でシートの裏側に係合させ、このストッパの紐通し孔に挿通した紐状体を、シートカバー本体の縫代部に組み込まれた芯棒に縛り付けるようにしたので、ストッパを介してシートの裏側に係止させた紐状体により芯棒をシート側に引き寄せて、シートカバー本体をシートに容易に密着させることができ、シートに対するフィット性を容易に高めることができるとともに、シートカバー取付工具の一部として紐状体をシートに貫通させる針状のストッパが、そのまま、紐状体をシートに係止させるシートカバー取付構造の一部としてシートの裏側に残るので、裏側での作業が困難である着座部などに適用すると作業性の向上も図れる。
【図面の簡単な説明】
【００１７】
【図１】本発明に係るシートカバー取付構造およびシートカバー取付方法の一実施の形態を示す説明図であり、（ａ）はシートカバー取付工具により紐状体をシートに刺し込む工程、（ｂ）は紐状体をシートの裏側に挿通した工程、（ｃ）はシートの裏側で工具本体からストッパを離脱させた工程、（ｄ）はシートの裏側でストッパを介して紐状体を係止する工程、（ｅ）はシートに３本の紐状体を取り付けた工程、（ｆ）はシートカバー本体の裏面にある縫代部に芯棒を通した状態、（ｇ）は芯棒に紐状体を結束する工程、（ｈ）は、シートカバーが取り付けられた完成状態を示す。
【図２】本発明に係るシートカバー取付工具の一実施の形態を示す正面図である。
【図３】同上取付工具のストッパ部分を拡大した斜視図である。
【図４】図１に示された取付構造および取付方法における縫代部に芯棒を組み込んだ状態を示すシートカバー断面図である。
【発明を実施するための形態】
【００１８】
以下、本発明を、図１乃至図４に示された一実施の形態に基いて詳細に説明する。
【００１９】
図１は、シートカバー取付方法を示し、先ず、図１（ａ）に示されるように、シートカバー取付工具11により紐またはゴム紐などの紐状体12をシート13の着座部13aに取り付ける。この着座部13aには、中央部および左右部の穿孔可能な場所に切替ライン13a1，13a2，13a3が設けられているので、先ず、中央部の切替ライン13a1の真中にシートカバー取付工具11を挿入して、紐状体12を着座部13aの裏側まで挿通する。
【００２０】
図２および図３は、シートカバー取付工具11を示し、シート13の着座部13aの厚みよりも大きな長さを有する細長く形成された工具本体14と、この工具本体14の基端側に設けられた把持部15と、工具本体14の先端に着脱自在に嵌合されて着座部13aの表側（上側）から裏側（下側）に貫通された状態で着座部13aの裏側に係合可能な針状のストッパ16とを具備している。
【００２１】
工具本体14の先端は、円筒袋状に形成され、一方、ストッパ16は、この袋状に形成された工具本体14の先端に着脱自在に嵌合される嵌合部16aと、この嵌合部16aとは反対側端で斜にカットされた尖端16bと、これらの嵌合部16aと尖端16bとの中間部に偏平状に圧延された孔開け部16cとが形成され、この孔開け部16cに紐通し孔16dが穿設されたものであり、この紐通し孔16dに上記紐状体12を挿通する。
【００２２】
図１（ｂ）に示されるように、シート13の着座部13aの表側から裏側に針状のストッパ16を貫通させる。このとき、同時に、ストッパ16の紐通し孔16dに挿通された紐状体12を着座部13aの表側から裏側に貫通させる。
【００２３】
図１（ｃ）に示されるように、シートカバー取付工具11の工具本体14をシート13の着座部13aから引き抜くことにより、工具本体14の先端部から離脱したストッパ16と、このストッパ16に挿通された紐状体12の先端ループ状部とが、着座部13aの裏側に残される。
【００２４】
図１（ｄ）に示されるように、紐状体12を着座部13aの表側に引っ張ることで、ストッパ16を着座部13aの裏側に係合させる。
【００２５】
図１（ｅ）に示されるように、着座部13aの切替ライン13a1の真中と同様に、切替ライン13a1の左右端部にも紐状体17，18を取り付ける。
【００２６】
図１（ｆ）は、シート13の着座部13aに掛けるシートカバーSCの裏側を示し、そのシートカバー本体20は、着座部13aに装着される複数のカバー部材21，22，23，24を縫い合わせることで、着座部13aの切替ライン13a1，13a2，13a3に合わせた切替ライン25，26，27が形成され、これらの切替ライン25，26，27に沿った縫代部28に針金などの芯棒29が組み込まれてシートカバーSCが構成されている。
【００２７】
例えば、図４に示されるシートカバーSCにおいて、シートカバー本体20の切替ライン25には、複数のカバー部材21，22を縫い合わせるための縫代部28があるので、この縫代部28により切替ライン25に沿った長尺の袋状部31を縫合部32により形成し、この袋状部31に芯棒29を挿入することで、縫代部28に芯棒29を組み込むようにする。
【００２８】
この袋状部31の中央部および左右両端部は、縫い付けないように開放して、袋状部31の３箇所に、芯棒29が外部に露出する芯棒露出口33を設ける。芯棒29の中央部29aは直線状のままであるのに対して、両端部にはループ状部29b，29cを曲げ加工しておく。なお、これらのループ状部29b，29cは、生地を傷めないなどの利点もあるが、なくてもよい。
【００２９】
シートカバー本体20の縫代部28に組み込まれた芯棒29は、切替ライン25だけでなく切替ライン26，27にも同様に設けておく。
【００３０】
図１（ｇ）に示されるように、シートカバー本体20の縫代部28に組み込まれた芯棒29の中央部29aおよびループ状部29b，29cに、針状のストッパ16を介しシート13の着座部13aの裏側に係止された紐状体12，17，18をそれぞれ縛り付けて芯棒29を固定することで、シートカバー本体20の切替ライン25を、着座部13aの対応する箇所にある切替ライン13a1に位置決めして止め、フィットさせる。
【００３１】
図１（ｈ）に示されるように、シートカバー本体20の他の切替ライン26，27も、図１（ｅ）に示されたシート13の着座部13aの対応箇所にある切替ライン13a2，13a3に同様に位置決めして止めるようにしてもよく、シートカバーSCの取り付けは完成する。なお、これらの切替ライン26，27の位置決めは省略してもよい。
【００３２】
このように、シートカバー取付構造は、シート13の着座部13aに装着される複数のカバー部材21，22，23，24を縫い合わせて切替ライン25，26，27が形成されたシートカバー本体20と、このシートカバー本体20の切替ライン25，26，27に沿った縫代部28に組み込まれた芯棒29と、着座部13aの表側から裏側に貫通された状態で着座部13aの裏側に係合された針状のストッパ16と、このストッパ16に挿通されストッパ16とともに着座部13aの表側から裏側に貫通された紐状体12，17，18とを具備し、ストッパ16を介し着座部13aの裏側に係止された紐状体12，17，18を、シートカバー本体20の縫代部28に組み込まれた芯棒29に縛り付けて、芯棒29を固定したものである。
【００３３】
次に、図示された実施の形態の効果を説明する。
【００３４】
上記のシートカバー取付構造によれば、シート13の着座部13aの表側から裏側に貫通された状態で着座部13aの裏側に係合された針状のストッパ16を介し着座部13aの裏側に係止された紐状体12，17，18を、シートカバー本体20の切替ライン25，26，27に沿った縫代部28に組み込まれた芯棒29に縛り付けて、芯棒29を固定したので、複数のカバー部材21，22，23，24の切替ライン25，26，27を着座部13aの切替ライン13a1，13a2，13a3に容易に密着させることができ、着座部13aに対するフィット性を容易に高めることができる。
【００３５】
また、上記のシートカバー取付方法によれば、シート13の着座部13aに装着される複数のカバー部材21，22，23，24を縫い合わせて切替ライン25，26，27を形成したシートカバー本体20の縫代部28に芯棒29を組み込むので、この芯棒29を容易に組み込むことができ、さらに、着座部13aの表側から裏側に針状のストッパ16を貫通させると同時に、このストッパ16に挿通された紐状体12，17，18を着座部13aの表側から裏側に貫通させ、紐状体12，17，18を着座部13aの表側に引っ張ることでストッパ16を着座部13aの裏側に係合させるので、紐状体12，17，18を着座部13aに容易に取り付けることができ、紐状体12，17，18によりシートカバーSCの芯棒29を着座部13a側に引き寄せて、シートカバー本体20の切替ライン25，26，27を着座部13aの切替ライン13a1，13a2，13a3に容易に密着させることができ、着座部13aに対するフィット性を容易に高めることができるとともに、作業性の向上も図れる。
【００３６】
さらに、上記のシートカバー取付工具11によれば、シート13の着座部13aの厚みよりも大きな長さを有する細長く形成された工具本体14の基端側に把持部15を設け、工具本体14の先端に針状のストッパ16を着脱自在に嵌合し、このストッパ16を着座部13aの表側から裏側に貫通された状態で着座部13aの裏側に係合させ、このストッパ16の側面部に穿設された紐通し孔16dに挿通した紐状体12，17，18を、シートカバー本体20の縫代部28に組み込まれた芯棒29に縛り付けるようにしたので、着座部13aの表側から裏側に貫通させて着座部13aの裏側にストッパ16を介し係止させた紐状体12，17，18により、シートカバー本体20の縫代部28に組み込まれた芯棒29を着座部13aの表側に引き寄せて、シートカバー本体20の切替ライン25，26，27を着座部13aの切替ライン13a1，13a2，13a3に容易に密着させることができ、着座部13aに対するフィット性を容易に高めることができるとともに、シートカバー取付工具11の一部として紐状体12，17，18を着座部13aに貫通させる針状のストッパ16が、そのまま、紐状体12，17，18を着座部13aに係止させるシートカバー取付構造の一部として作業し難い着座部13aの裏側に残るので、作業性の向上も図れる。
【００３７】
本発明に係るシートカバー取付構造、シートカバー取付方法およびシートカバー取付工具11は、シート13の着座部13aだけでなく、図１（ａ）などに示されるシート13の背もたれ部13bに対するシートカバーの取付にも適用することが可能である。
【産業上の利用可能性】
【００３８】
本発明は、シートカバー取付構造、シートカバー取付方法およびシートカバー取付工具の製造、販売または使用する事業者にとって産業上の利用可能性がある。
【符号の説明】
【００３９】
SC    シートカバー
11    シートカバー取付工具
12    紐状体
13    シート
14    工具本体
15    把持部
16    ストッパ
16a   嵌合部
16b   尖端
16d   紐通し孔
17，18    紐状体
20    シートカバー本体
21，22，23，24    カバー部材
28    縫代部
29    芯棒
【図１】
2014000323.tif 000003
【図２】
2014000323.tif 000004
【図３】
2014000323.tif 000005
【図４】
2014000323.tif 000006